(57)【特許請求の範囲】
【請求項１】
携帯通信網を介して通信情報を受信する無線部と、
複数の放送局からの放送波を受信可能な放送波受信部と、
各放送局が送出している放送波の周波数情報を含むチャンネル情報、及び緊急警報放送番組が放送される複数のチャンネルを示す既定チャンネル情報が記憶される記憶部と、
前記無線部が受信した通信情報に、警報が発令されたことを示す第１緊急警報信号が含まれているか否かを認識する緊急警報信号認識部と、
前記放送波受信部が受信した放送波に基づいて、選局されたチャンネルの放送番組を出力表示する表示部と、
前記緊急警報信号認識部が前記通信情報に前記第１緊急警報信号が含まれていることを認識したことを契機として、前記記憶部に記憶された前記既定チャンネル情報に基づいて１つのチャンネルを選局し、当該選局された１つのチャンネルの放送番組を前記放送波受信部が受信した放送波に基づいて前記表示部に出力表示するように制御する制御部とを備え、
前記制御部は、前記選局された１つのチャンネルの放送波を前記放送波受信部が受信できない場合、前記記憶部に記憶された前記既定チャンネル情報に基づいて他のチャンネルを選局し、当該選局された他のチャンネルの放送番組を前記放送波受信部が受信した放送波に基づいて前記表示部に出力表示するように制御する
放送受信端末装置。
【請求項２】
前記放送局が送信する前記放送波は、第２緊急警報信号を含み、
前記制御部は、前記選局された１つのチャンネルの放送番組が緊急警報放送番組ではないと前記放送波に含まれる前記第２緊急警報信号に基づいて判断した場合、前記記憶部に記憶された前記既定チャンネル情報に基づいて他のチャンネルを選局し、当該選局された他のチャンネルの放送番組を前記放送波受信部が受信した放送波に基づいて前記表示部に出力表示するように制御する
請求項１に記載の放送受信端末装置。
【請求項３】
前記記憶部には、エリアを階層的に分類して当該エリア別に選局可能なチャンネル情報を対応付けた情報であるエリア別チャンネル情報、及び前記放送受信端末装置の現在位置の情報である現在位置情報が記憶され、
前記制御部は、前記既定のチャンネル情報に基づいて前記他のチャンネルを選局するために、前記記憶部に記憶された前記エリア別チャンネル情報及び前記現在位置情報を用いる
請求項２に記載の放送受信端末装置。
【請求項４】
前記無線部が受信した通信情報に含まれうる位置情報を検出し、当該検出された位置情報に基づいて前記放送受信端末装置の現在位置情報を認識する位置情報認識部を備え、
前記記憶部には、エリアを階層的に分類して当該エリア別に選局可能なチャンネル情報を対応付けた情報であるエリア別チャンネル情報が記憶され、
前記制御部は、前記既定のチャンネル情報に基づいて前記他のチャンネルを選局するために、前記記憶部に記憶された前記エリア別チャンネル情報及び前記位置情報認識部によって認識された前記現在位置情報を用いる
請求項２に記載の放送受信端末装置。
【請求項５】
前記記憶部には、前記放送波受信部が過去に緊急警報放送番組を受信できたチャンネルの情報が記憶され、
前記制御部は、前記選局した他のチャンネルの放送波を前記放送波受信部によって受信できない場合、又は前記選局した他のチャンネルの放送番組が緊急警報放送番組ではないと前記放送波に含まれる緊急警報信号に基づいて判断した場合、前記記憶部に記憶された過去に緊急警報放送番組を受信できたチャンネルの情報のうち、最近の情報に従ってチャンネルを選局し、当該選局されたチャンネルの放送番組を前記放送波受信部が受信した放送波に基づいて前記表示部に出力表示するように制御する
請求項２に記載の放送受信端末装置。
【請求項６】
前記制御部は、前記選局した他のチャンネルの放送波を前記放送波受信部によって受信できない場合、又は前記選局した他のチャンネルの放送番組が緊急警報放送番組ではないと前記放送波に含まれる緊急警報信号に基づいて判断した場合、緊急警報放送番組が放送されているチャンネルをサーチ検索するように制御する
請求項２から５のいずれか１項に記載の放送受信端末装置。
【請求項７】
前記放送波受信部を複数備え、
前記表示部は、複数の画面領域を有し、複数の放送番組を当該複数の画面領域に同時に出力表示可能であり、
前記制御部は、前記選局されたチャンネルの放送番組を前記放送波受信部が受信した放送波に基づいて前記表示部の一の画面領域に出力表示するように制御し、当該放送波受信部とは別の放送波受信部が受信した放送波に基づいて前記表示部の他の画面領域に放送番組を出力表示するように制御する
請求項２から６のいずれか１項に記載の放送受信端末装置。
【請求項８】
前記制御部は、前回視聴終了時に選局されていたチャンネルであるラストチャンネルを前記複数の放送波受信部のうちいずれか１つによって選局する
請求項７に記載の放送受信端末装置。
【請求項９】
前記制御部は、一の前記放送波受信部によって受信した放送波に基づいて前記表示部の一の前記画面領域に放送番組が出力表示されている場合、他の前記放送波受信部によって受信した放送波から緊急警報放送番組を放送しているチャンネルを検索し、当該検索されたチャンネルの放送番組を他の前記画面領域に出力表示するように制御可能である
請求項７又は請求項８に記載の放送受信端末装置。
【請求項１０】
前記制御部は、いずれか１つの前記放送波受信部が受信した放送番組を前記表示部に出力表示しながら、他の放送波受信部によって受信した放送波から緊急警報放送番組を検索し、検索された緊急警報放送番組の一覧を前記表示部に出力表示するように制御する
請求項７又は請求項８に記載の放送受信端末装置。
【請求項１１】
各放送局が送出している放送波の周波数情報を含むチャンネル情報、及び緊急警報放送番組が放送される複数のチャンネルを示す既定チャンネル情報が記憶される記憶部を備える放送受信端末装置における方法であって、
携帯通信網を介して通信情報を受信する無線通信ステップと、
複数の放送局からの放送波を受信可能な放送波受信ステップと、
前記無線通信ステップで受信した前記通信情報に、警報が発令されたことを示す第１緊急警報信号が含まれているか否かを認識する緊急警報信号認識ステップと、
前記放送波受信ステップが受信した放送波に基づいて、選局されたチャンネルの放送番組を出力表示する表示ステップと、
前記緊急警報信号認識ステップが前記通信情報に前記第１緊急警報信号が含まれていることを認識したことを契機として、前記記憶部に記憶された前記既定チャンネル情報に基づいて１つのチャンネルを選局し、当該選局された１つのチャンネルの放送番組を前記放送波受信ステップで受信した放送波に基づいて前記表示ステップで出力表示するように制御する制御ステップとを備え、
前記放送局が送信する前記放送波は、第２緊急警報信号を含み、
前記選局された１つのチャンネルの放送波を受信できない場合、前記記憶部に記憶された前記既定チャンネル情報に基づいて他のチャンネルを選局し、当該選局された他のチャンネルの放送番組を、前記放送は受信ステップにおいて受信した放送波に基づいて前記表示ステップで出力表示するように制御する
放送番組選定方法。
【発明の詳細な説明】
【技術分野】
【０００１】
本発明は、放送波受信端末装置及び放送番組選定方法に関し、より詳細には、災害や事件発生時に放送される緊急警報放送番組を提示するための放送波受信端末装置及び放送番組選定方法に関する。
【背景技術】
【０００２】
地震等の災害報知や事件報道など、デジタルテレビ放送によって放送される緊急警報放送を受信できる装置が知られている。これらの装置によって緊急警報放送を確実に受信するには、常に放送波受信部の電源を入れておく必要があり、消費電力の面で課題となっていた。このため、通信部と放送波受信部を備え、緊急警報放送がされている情報を通信部が受信することを契機に、放送波受信部を起動し、緊急警報放送を受信する携帯無線通信端末装置が提案されている（例えば、特許文献１）。このような携帯無線通信端末装置は、常時放送波受信部を起動しておく必要がないため、緊急警報放送が放送されていない際の放送波受信部による消費電力を低減することができる。
【０００３】
また、気象業務法の一部が改正された（平成19年法律第115号、同年11月21日公布、同年12月１日施行）ことにより、気象庁は、発生した断層運動による地震動及び火山現象についての一般の利用に適合する予報及び警報を実施することとなった（例えば、非特許文献１）。そのため、上記のような装置が今後普及することが予想される。
【０００４】
【特許文献１】特開２００７−１４２７４４号公報
【非特許文献１】“緊急地震速報について”、［online］、気象庁、［平成20年3月検索］、インターネット〈URL：http://www.seisvol.kishou.go.jp/eq/EEW/kaisetsu/index.html〉
【発明の開示】
【発明が解決しようとする課題】
【０００５】
しかしながら、上記従来の装置では、緊急警報放送番組が放送されているという情報を受信しても、緊急警報放送番組を放送しているチャンネルの選局情報がないと、全帯域の周波数で緊急警報放送番組を放送しているチャンネルを検索する必要がある。そのため、地上デジタル放送の場合、多チャンネルであるため、地上デジタル放送が放送されている緊急警報放送番組をユーザに提示するまでに時間を要する。
【０００６】
本発明は、以上の問題に鑑みてなされたものであり、その課題は、緊急警報放送番組が放送されているチャンネルを選局し、緊急警報放送番組をユーザに提示するまでの時間を短縮するための放送波受信端末装置及び放送番組選定方法を提供することである。
【課題を解決するための手段】
【０００７】
以上の課題を解決するために、本発明に係る放送受信端末装置は、携帯通信網を介して通信情報を受信する無線部と、複数の放送局からの放送波を受信可能な放送波受信部と、各放送局が送出している放送波の周波数情報を含むチャンネル情報、及び緊急警報放送番組が放送される複数のチャンネルを示す既定チャンネル情報が記憶される記憶部と、前記無線部が受信した通信情報に、警報が発令されたことを示す第１緊急警報信号が含まれているか否かを認識する緊急警報信号認識部と、前記放送波受信部が受信した放送波に基づいて、選局されたチャンネルの放送番組を出力表示する表示部と、前記緊急警報信号認識部が前記通信情報に前記第１緊急警報信号が含まれていることを認識したことを契機として、前記記憶部に記憶された前記既定チャンネル情報に基づいて１つのチャンネルを選局し、当該選局された１つのチャンネルの放送番組を前記放送波受信部が受信した放送波に基づいて前記表示部に出力表示するように制御する制御部とを備え、前記制御部は、前記選局された１つのチャンネルの放送波を前記放送波受信部が受信できない場合、前記記憶部に記憶された前記既定チャンネル情報に基づいて他のチャンネルを選局し、当該選局された他のチャンネルの放送番組を前記放送波受信部が受信した放送波に基づいて前記表示部に出力表示するように制御する。
【０００８】
本発明に係る放送番組選定方法は、各放送局が送出している放送波の周波数情報を含むチャンネル情報、及び緊急警報放送番組が放送される複数のチャンネルを示す既定チャンネル情報が記憶される記憶部を備える放送受信端末装置における方法であって、携帯通信網を介して通信情報を受信する無線通信ステップと、複数の放送局からの放送波を受信可能な放送波受信ステップと、前記無線通信ステップで受信した前記通信情報に、警報が発令されたことを示す第１緊急警報信号が含まれているか否かを認識する緊急警報信号認識ステップと、前記放送波受信ステップが受信した放送波に基づいて、選局されたチャンネルの放送番組を出力表示する表示ステップと、前記緊急警報信号認識ステップが前記通信情報に前記第１緊急警報信号が含まれていることを認識したことを契機として、前記記憶部に記憶された前記既定チャンネル情報に基づいて１つのチャンネルを選局し、当該選局された１つのチャンネルの放送番組を前記放送波受信ステップで受信した放送波に基づいて前記表示ステップで出力表示するように制御する制御ステップとを備え、前記選局された１つのチャンネルの放送波を受信できない場合、前記記憶部に記憶された前記既定チャンネル情報に基づいて他のチャンネルを選局し、当該選局された他のチャンネルの放送番組を、前記放送は受信ステップにおいて受信した放送波に基づいて前記表示ステップで出力表示するように制御する。
【発明の効果】
【０００９】
以上説明したように、本発明によれば、緊急警報放送番組が放送されているチャンネルを選局し、緊急警報放送番組をユーザに提示するまでの時間を短縮するための放送波受信端末装置及び放送番組選定方法を提供することができる。
【発明を実施するための最良の形態】
【００１０】
以下、図面を参照して、本発明の好適な実施形態を説明する。ただし、発明の範囲は本実施形態に限定されない。以下の図面の記載において、同一または類似の部分には、同一または類似の符号を付している。図面は模式的なものであり、各寸法の比率などは現実のものとは異なることに留意すべきである。したがって、具体的な寸法などは以下の説明を参酌して判断すべきである。また、図面相互間においてもお互いの寸法の関係や比率が異なる部分が含まれていることは勿論である。
【００１１】
（実施形態１）
本発明に係る放送波受信端末装置を備える放送波受信システムの第１の実施形態を説明する。
【００１２】
［放送波受信システムの構成］
まず、放送波受信システムの構成について説明する。
【００１３】
図１に、放送波受信システムの構成の一例を示す。放送波受信システムは、気象庁１０１、通信事業者１０２、携帯通信網１０３、放送波受信端末装置１０４、放送基地局１０５、及び放送局１０６を備えて構成される。
【００１４】
気象庁１０１は、緊急警報情報を信号として送信する気象庁のシステムである。気象庁１０１は、地震や津波などの災害が発生した際にその警報を発令するために、即座に緊急警報信号１１１を送信する。気象庁１０１から発せられた緊急警報信号１１１は、通信事業者１０２、携帯通信網１０３を経由し、該当する地域に在圏する放送波受信端末装置１０４に送信される。
【００１５】
図２に、気象庁１０１から送信される緊急警報信号１１１に含まれる情報の一例を示す。緊急警報信号１１１は、当該緊急警報信号１１１を配信する緊急警報配信地域の情報と、当該地域に配信する緊急警報情報を含む。例えば、緊急警報信号１１１には、緊急警報配信地域である「地域Ａ」において、「１５秒後震度２の地震が発生します」という緊急警報情報が含まれている。
【００１６】
通信事業者１０２は、気象庁１０１から受信した緊急警報信号１１１を携帯通信網１０３へ送信する通信事業者のシステムである。
【００１７】
放送波受信端末装置１０４は、携帯電話網からの通信波、及び放送基地局からの放送波を受信可能なワンセグ対応の携帯電話等の端末装置である。放送波受信端末装置１０４は、気象庁１０１からの緊急警報信号１１１を受信することを契機に、放送局１０６で放送される緊急警報放送を選局し、放送波受信端末装置１０４のユーザが緊急警報放送を視聴できるように提示する。緊急警報放送を提示する際の処理の詳細は、後述する。
【００１８】
放送局１０６は、デジタルテレビ放送によって、地震等の災害報知や事件報道などのための緊急警報放送を放送するための放送局のシステムである。図示しないが、放送波受信システムは、複数の放送局を含みうる。放送された緊急警報放送は、放送基地局１０５を介して放送波として放送波受信端末装置１０４によって受信される。緊急警報放送の放送波には、放送局１０６から送出された緊急警報信号が含まれている。放送波に含まれるこの緊急警報信号は、気象庁１０１からの緊急警報信号１１１とは異なる信号である。
【００１９】
図３に、放送局１０６から放送される緊急警報放送の放送波の一例を示す。縦軸は、放送波に含まれる情報を示している。横軸は、右方向に進むにつれて時間の経過を示している。放送波には、緊急警報信号として、ＰＭＴ（Program Management Table）内の緊急情報記述子３１、及び伝送制御データであるＴＭＣＣ（Transmission and Multiplexing Configuration and Control）情報の緊急警報放送用起動フラグ３２が含まれている。
【００２０】
放送局１０６が緊急警報放送を放送するための処理として、まず、緊急警報放送の開始時に、放送局１０６は、緊急警報信号の条件（例えば、開始終了フラグ、第１種／第２種種別、及び地域符号等）を設定した緊急情報記述子３１をＰＭＴによって送出し、緊急警報放送用起動フラグ３２を「１」として送出する。更に、放送局１０６は、緊急警報放送として認識できるコンテンツで放送番組を放送波に乗せて放送する。その後、緊急警報放送の終了時に、放送局１０６は、緊急警報放送用起動フラグ３２を「０」として送出し、緊急情報記述子３１をＰＭＴから削除する。
【００２１】
［放送波受信端末装置の構成］
次に、放送波受信端末装置の構成について説明する。
【００２２】
図４に、放送波受信端末装置の構成の一例を示す。放送波受信端末装置１０４は、無線部２０１、緊急警報信号認識部２０２、放送波受信部２０３、制御部２０４、表示部２０５、及びチャンネルリスト記憶部２０６を備えて構成される。
【００２３】
無線部２０１は、携帯通信網１０３を介して通信を行い、通信事業者１０２から送出される通信情報を受信する。気象庁１０１から警報が発令された場合、通信情報には緊急警報信号１１１が含まれている。
【００２４】
緊急警報信号認識部２０２は、無線部２０１が受信した通信情報に含まれている緊急警報信号を検出し、緊急警報信号の有無を認識する。
【００２５】
放送波受信部２０３は、放送基地局１０５を介して、放送局１０６や他の複数の放送局から送出される放送波１１２を受信する。放送波受信部２０３の起動／終了の状態遷移は、放送波受信端末装置１０４の起動／終了の状態遷移とは同期しておらず、制御部２０４によって制御される。放送波受信部２０３は、自身が起動状態にある時に放送波１１２を受信する。放送波１１２には、緊急情報記述子３１、緊急警報放送用起動フラグ３２等を有する緊急警報信号が含まれている。放送波受信部２０３が受信した放送波に含まれる緊急警報放送用起動フラグ３２の値が「１」である場合、その放送波が緊急警報放送のものであると判断される。なお、放送波受信端末装置１０４が受信した放送波が緊急警報放送のものであるか否かの判断方法は、この方法に限定されず、他の周知の方法によって判断されてもよい。
【００２６】
制御部２０４は、ＣＰＵ（Central Processing Unit）等によって構成され、図示しないＲＯＭ（Read Only Memory）、ＲＡＭ（Random Access Memory）、ＨＤＤ（Hard Disk Drive）等に記憶された制御プログラム等に従って、放送波受信端末装置１０４に備える各構成の全体制御を行う。制御部２０４は、その制御処理によって、後述する放送波受信端末装置１０４の動作や機能等を実現する。
【００２７】
表示部２０５は、液晶表示パネル等によって構成され、制御部２０４による処理結果等に基づいて、緊急警報放送番組等を出力表示する。
【００２８】
チャンネルリスト記憶部２０６は、ＨＤＤ等によって構成されている。チャンネルリスト記憶部２０６には、デジタルテレビ放送の視聴が可能なエリアを階層的に分類し、エリア別に選局可能なチャンネル情報を対応付けた情報であるエリア別チャンネル情報が記憶されている。
【００２９】
図５に、エリア別チャンネル情報の一例を示す。エリア別チャンネル情報は、情報項目として、物理ｃｈ５１、チャンネル名５２、リモコンＩＤ５３、エリア５４、地域５５、広域５６を有する。
【００３０】
物理ｃｈ５１は、選局が可能なデジタルテレビ放送のチャンネル情報であり、各エリア（又は地域、広域）において放送波を送出している放送局の周波数情報などが含まれている。
【００３１】
チャンネル名５２は、各物理ｃｈ５１に対応して付けられたデジタルテレビ放送のチャンネル名である。リモコンＩＤ５３は、デジタルテレビ放送において、チャンネル（放送局）単位で決められているリモコンの押しボタン用の番号である。
【００３２】
エリア５４は、デジタルテレビ放送の視聴が可能なエリアを都道府県別に示した情報であり、エリア別に選局可能なチャンネル情報（物理ｃｈ）が対応付けられている。
【００３３】
地域５５は、エリア５４を更に広い領域で分類するための単位である。広域５６は、地域５５を更に広い領域で分類するための単位である。このように、エリア５４は、地域５５及び広域５６によって階層的に分類されている。エリアの分類方法は、この方法に限定されず、一定の単位でエリアが分類されれば良い。
【００３４】
また、チャンネルリスト記憶部２０６には、放送波受信端末装置１０４が位置するエリアが、現在位置情報として事前に設定され記憶されている。この現在位置情報及びエリア別チャンネル情報に基づいて、放送波受信端末装置１０４が現在位置しているエリアで受信可能な放送番組を判断することができる。
【００３５】
［放送波受信端末装置の動作］
次に、放送波受信端末装置の動作について説明する。
【００３６】
図６に、放送受信端末１０４の動作のフローを示す。動作の処理制御は、制御部２０４が行う。
【００３７】
まず、無線部２０１は、携帯通信網１０３を介して緊急警報信号１１１が含まれた通信情報を受信する（ステップＳ５０１）。無線部２０１が受信した通信情報に含まれる緊急警報信号１１１は、緊急警報信号認識部２０２によって検出される。
【００３８】
次いで、チャンネルリスト記憶部２０６に現在位置情報として記憶されているエリアにおいて選局可能なチャンネル情報の中から、既定のチャンネル情報が抽出される（ステップＳ５０２）。この既定のチャンネル情報は、災害発生などの緊急時に緊急警報放送番組が放送されるチャンネルの情報として予め設定され、チャンネルリスト記憶部２０６に記憶されている情報である。
【００３９】
次いで、放送波受信部２０３が起動状態でない場合は、起動状態にされ、抽出された既定のチャンネル情報が示すチャンネルが放送波受信部２０３にて選局される（ステップＳ５０３）。
【００４０】
例えば、図５に示すエリア別チャンネル情報がチャンネルリスト記憶部２０６に記憶されており、現在位置情報が「福岡」、既定のチャンネル情報（物理ｃｈ５１）が「２８」として記憶されているとする。この場合、放送波受信部２０３にてチャンネル名５２が「ＮＨＫ総合・福岡」、物理ｃｈ５１が「２８」のチャンネルが選局される。
【００４１】
次いで、選局されたチャンネル（例えば、「ＮＨＫ総合・福岡」）の放送波を受信できた場合（ステップＳ５０３；可）、受信した放送波に含まれる緊急警報信号に基づいてその放送波が緊急警報放送番組のものであるか否かが判断される（ステップＳ５０４）。緊急警報放送番組であるか否かは、前述の通り、放送波に含まれるＴＭＣＣの緊急警報放送用起動フラグによって判断される。
【００４２】
放送波が緊急警報放送番組のものであると判断された場合（ステップＳ５０４；有り）、その放送波に基づいて放送番組が表示部２０５に提示（出力表示）され（ステップＳ５０５）、この処理は終了する。
【００４３】
このように、緊急警報信号認識部２０２が緊急警報信号１１１を検出したことを契機に、既定のチャンネルで放送されている緊急警報番組が表示部２０５に提示されることによって、緊急警報放送番組を放送波受信端末装置１０４のユーザに提示するまでの時間を短縮することができる。
【００４４】
また、ステップＳ５０３にて、選局されたチャンネルの放送波を受信できなかった場合（ステップＳ５０３；不可）、チャンネルリスト記憶部２０６に現在位置情報として記憶されているエリア５４と同じ地域５５に属するエリアの既定の（例えば、ＮＨＫの）チャンネル情報が選局される（ステップＳ５０６）。この既定のチャンネル情報は、災害発生などの緊急時に緊急警報放送番組が放送されるチャンネルの情報として予め設定され、チャンネルリスト記憶部２０６に記憶されている。
【００４５】
例えば、現在位置情報として記憶されているエリア５４が「福岡」であり、既定のチャンネルが「ＮＨＫ総合」に設定されているとする。この場合、図５に示すエリア別チャンネル情報の例では、エリア５４「福岡」が属する地域５５「福岡県」と同じ地域に属するエリア５４である「北九州」で選局可能な「ＮＨＫ総合・北九州」（物理ｃｈ「４０」）、「久留米」で選局可能な「ＮＨＫ総合・福岡」（物理ｃｈ「１７」）のチャンネル情報が抽出される。
【００４６】
また、同じ地域５５に属するエリア５４内のＮＨＫ総合の放送波を受信できかなった場合、現在位置情報として記憶された「福岡」が属する広域５６である「九州・沖縄」に属するエリア５４のＮＨＫ総合のチャンネル情報が選局される（ステップＳ５０６）。
【００４７】
ステップＳ５０６にて抽出されたチャンネル情報の放送波を受信できた場合（ステップＳ５０７；可）、ステップＳ５０４へ進む。また、放送波を受信できなかった場合（ステップＳ５０７；不可）、ステップＳ５０８へ進む。
【００４８】
ステップＳ５０４において、受信した放送波が緊急警報放送番組のものでないと判断された場合（ステップＳ５０４；無し）、ステップＳ５０８へ進む。
【００４９】
ステップＳ５０８において、放送波の全周波数帯域を対象としてサーチ選局を行う。なお、サーチ選局は、放送波に含まれるＴＭＣＣの緊急警報放送用起動フラグを検出することによって緊急警報信号の有無の確認を行い、緊急警報放送番組が放送されているチャンネルの選局を高速に実施する。
【００５０】
次いで、緊急警報信号に基づいて、緊急警報放送番組を放送するチャンネルの放送波が検出された場合（ステップＳ５０９；有り）、その放送波に基づいて放送番組が表示部２０５に提示され（ステップＳ５０５）、この処理は終了する。また、緊急警報放送番組を放送するチャンネルの放送波が検出されなかった場合（ステップＳ５０９；無し）、ステップＳ５０３の際に放送波受信部２０３が起動された場合は放送波受信部２０３が停止（終了状態に）され（ステップＳ５１０）、この処理は終了する。また、緊急警報放送番組を放送するチャンネルの放送波が検出されなかった場合（ステップＳ５０９；無し）、緊急放送番組が放送されていないことを表示部２０５に表示し、ユーザに通知してもよい。
【００５１】
なお、ステップＳ５０４において、受信した放送波が緊急警報放送番組のものでないと判断された場合（ステップＳ５０４；無し）、その後、ステップＳ５０８においてサーチ選局を行っているが、この方法に限定されず、ステップＳ５０６のような方法で他のチャンネルの選局を行っても良い。
【００５２】
また、ステップＳ５０３又はステップ５０７において選局したチャンネルの放送波を受信できなかった場合、過去に緊急警報放送番組を受信できたチャンネルのうち最近のチャンネル情報に従って選局を行い、受信可否を判断してもよい。その場合、放送波受信端末装置１０４は、緊急警報放送番組を受信する度にそのチャンネル情報を記憶するための緊急警報放送受信用チャンネル情報記憶部を備える。
【００５３】
また、ステップＳ５０６において、設定されているエリアを含む地域エリア又は広域エリアに含まれる他のエリアを処理対象としているが、設定されているエリアにできるだけ近接又は隣接するエリアを処理対象とすることが望ましい。
【００５４】
また、ステップＳ５０８において、全周波数でサーチ選局を行うこととしているが、緊急警報放送番組を放送するチャンネルの放送波が検出された時点で終了しても良い。
【００５５】
以上のように、ステップＳ５０３及びステップＳ５０７において、選局されたチャンネルの放送波を受信できなかった場合、又はステップＳ５０４において、選局したチャンネルの放送番組が緊急警報放送番組ではないと前記放送波に含まれる緊急警報信号に基づいて判断された場合、ステップＳ５０６又はステップＳ５０８において他のチャンネルが選局される。そのため、放送波受信端末装置１０４のユーザによる選局操作や、放送番組が緊急警報放送番組であるか否かのユーザの目視による判断などを介することなく、即座に他のチャンネルが選局され、緊急警報放送番組を放送波受信端末装置１０４のユーザに提示するまでの時間を短縮することができる。
【００５６】
また、ステップＳ５０６において、エリアを階層的に分類して当該エリア別に選局可能なチャンネル情報を対応付けた情報であるエリア別チャンネル情報を用いてチャンネルの選局を行うことで、受信可能な緊急警報放送を放送するチャンネルを効率的に短時間で検索することができる。
【００５７】
（実施形態２）
次に、本発明に係る放送波受信端末装置を備える放送波受信システムの第２の実施形態を説明する。
【００５８】
［放送波受信システムの構成］
まず、放送波受信システムの構成について説明する。
【００５９】
図７に、放送波受信システムの構成の一例を示す。放送波受信システムは、実施形態１と同様に、気象庁１０１、通信事業者１０２、携帯通信網１０３、放送波受信端末装置１０４、放送基地局１０５、及び放送局１０６を備えて構成される。
【００６０】
実施形態２の放送波受信システムにおいては、実施形態１の放送波受信システムにおける各構成間のデータの送受信に加え、携帯通信網１０３から放送波受信端末１０４に対して位置情報１１３が送信される。
【００６１】
位置情報１１３は、放送波受信端末１０４と無線通信を行う携帯通信基地局（図示せず）の位置情報である。位置情報１１３は、通信事業者１０２が気象庁１０１から緊急警報信号１１１を受信した後、通信情報に含められる。また、他の方法として、放送波受信端末１０４の緊急警報信号認識部２０２が緊急警報信号１１１を認識したタイミングで、通信網１０３に対して基地局の位置情報１１３を要求しても良い。
【００６２】
通信事業者１０２は、緊急警報配信地域に該当する携帯通信基地局から、図２に示すような緊急警報信号１１１、及び位置情報１１３を放送受信端末１０４へ送信する。また、他の方法として、図２に示す緊急警報信号１１１の緊急警報配信地域を携帯通信基地局の位置情報１１３に置き換えて、この緊急警報信号１１１のみを放送受信端末１０４へ送信してもよい。
【００６３】
［放送波受信端末装置の構成］
次に、放送波受信端末装置の構成について説明する。
【００６４】
図８に、放送波受信端末装置の構成の一例を示す。放送波受信端末装置１０４は、実施形態１における放送波受信端末装置１０４の構成に加えて、位置情報認識部２０７を備える。
【００６５】
位置情報認識部２０７は、通信部２０１で受信された通信情報に含まれている位置情報１１３を検出し、検出された位置情報１１３に基づいて、放送波受信端末装置１０４の現在位置を認識する。
【００６６】
チャンネルリスト記憶部２０６に事前に記憶されている現在位置情報は、過去に設定された古い情報であるため、位置情報認識部２０７によって認識された放送波受信端末装置１０４の現在位置は、位置を認識した時点において、より新しく正確な現在位置を示すこととなる。
【００６７】
その他の構成要素は実施形態１における放送波受信端末１０４と同じであるため、説明は割愛する。
【００６８】
［放送波受信端末装置の動作］
次に、放送波受信端末装置の動作について説明する。
【００６９】
図９に、放送受信端末装置１０４の動作のフローを示す。動作の処理制御は、制御部２０４が行う。
【００７０】
まず、無線部２０１は、携帯通信網１０３を介して緊急警報信号１１１及び位置情報１１３が含まれた通信情報を受信する（ステップＳ９０１）。無線部２０１が受信した通信情報に含まれる緊急警報信号１１１は緊急警報信号認識部２０２によって検出され、位置情報１１３は位置情報認識部２０７によって検出される。
【００７１】
次いで、位置情報１１３に基づいて位置情報認識部２０７によって認識された放送受信端末装置１０４の現在位置情報が、チャンネルリスト記憶部２０６に記憶された現在位置情報と照合され（ステップＳ９０２）、一致しているか否かが判断される（ステップＳ９０３）。
【００７２】
位置情報が一致する場合（ステップＳ９０３；一致）、前述の実施形態１における図６のステップＳ５０２へ進み、その後、実施形態１と同様の処理を行う。
【００７３】
位置情報が一致しない場合（ステップＳ９０３；不一致）、チャンネルリスト記憶部２０６に記憶された現在位置情報は、位置情報１１３が示す位置情報に更新されて記憶され（ステップＳ９０４）、次いで、図６のステップＳ５０２へ進み、その後、実施形態１と同様の処理を行う。
【００７４】
以上のように、位置情報認識部２０７によって認識された放送受信端末装置１０４の現在位置情報に基づいて緊急警報放送番組を受信可能なチャンネルの選局が行われる。位置情報認識部２０７によって認識された現在位置情報は、チャンネルリスト記憶部２０６に事前に記憶された現在位置情報より正確な現在位置を示すものであるため、緊急警報放送番組を受信可能なチャンネルの選局をより短時間で行うことが可能となる。
【００７５】
なお、放送波受信端末１０４は、気象庁１０１から携帯通信網１０３を介して送出された緊急警報信号１１１と共に、放送局１０６から通信事業者１０２及び携帯通信網１０３を介して送出された緊急警報放送番組のチャンネル情報を受信できることとしてもよい。この場合、図６のステップＳ５０２において、チャンネルリスト記憶部２０６に記憶された既定のチャンネル情報ではなく、放送局１０６から受信したチャンネル情報に基づいて選局が行われることとしてもよい。
【００７６】
また、緊急警報信号１１１は、気象庁１０１から放送局１０６へ送信され、放送局１０６が緊急警報信号１１１及び緊急警報放送番組の選局情報を通信事業者１０２及び携帯通信網１０３を介して放送波受信端末１０４へ送信してもよい。
【００７７】
また、位置情報認識部２０７は、基地局の位置情報を使用して現在位置を認識しているが、緊急警報信号１１１に含まれる地域を使用してエリアを設定しても良いし、新たに基地局の位置情報を緊急警報信号１１１に含めることによって当該緊急警報信号１１１の基地局の位置情報を使ってエリアを設定しても良い。
【００７８】
（実施形態３）
次に、本発明に係る放送波受信端末装置を備える放送波受信システムの第３の実施形態を説明する。
【００７９】
［構成］
まず、構成について説明する。
【００８０】
放送波受信システムの構成は、実施形態１及び実施形態２と同様である。
【００８１】
図１０に、放送波受信端末装置の構成の一例を示す。放送波受信端末装置１０４は、放送波受信部を複数備え、実施形態２における放送波受信端末装置１０４の構成に加えて、第２放送波受信部２０８を備える。
【００８２】
図１１に、放送波受信部２０３及び第２放送波受信部２０８が受信した放送波に係る放送番組の表示部２０５への提示方法の一例を示す。表示部２０５は、放送番組を出力表示するための複数の画面領域を有する。表示部２０５は、放送波受信部２０３が受信した放送番組をメイン画面領域に、第２放送波受信部２０８が受信した放送番組をサブ画面領域に表示し、複数の放送番組を同時に表示することが可能な機能を有する。なお、左右もしくは上下に並べて表示してもよく表示方法については問わない。
【００８３】
放送波受信端末装置１０４は、放送波受信部２０３及び第２放送波受信部２０８が受信した放送番組のうち、どちらを視聴するかをユーザが容易に選択可能な機能を有する。この選択機能は、既知の技術に基づいた任意のいずれの方法によって実現されても良い。
【００８４】
［放送波受信端末装置の動作］
次に、放送波受信端末装置１０４の動作について説明する。動作の処理制御は、制御部２０４が行う。
【００８５】
放送波受信部２０３は、前述の実施形態１又は実施形態２で説明した処理と同様の処理を実施する。選局されたチャンネルの放送番組が緊急警報放送番組であるか否かにかかわらず、放送番組を受信した場合は表示部２０５のメイン画面領域に表示される。
【００８６】
もしくは、選局されたチャンネルの放送番組が緊急警報放送番組であると放送波受信部２０３が受信した緊急警報信号１１１に基づいて判断された場合、放送波受信部２０３は前回ユーザによって選局され視聴されていたラストチャンネル（前回視聴終了時のチャンネル）にて選局を行い、受信した放送コンテンツを表示部２０５のメイン画面領域に表示してもよい。
【００８７】
一方、第２放送波受信部２０８は、放送波受信部２０３が受信した放送番組を提示しながら、実施形態１又は実施形態２で記載した処理を続ける。
【００８８】
また、第２放送波受信部２０８が緊急警報放送を受信した場合は、表示部２０５のサブ画面領域に表示し、ユーザに緊急警報番組が放送されていることを通知する。ユーザは、メイン画面領域に表示されている放送番組を視聴し続けるか、サブ画面領域に表示されている緊急警報放送番組を視聴するかを放送波受信端末装置１０４に備える操作部（図示せず）の操作により選択することができる。
【００８９】
ユーザがメイン画面領域に表示されている放送番組を視聴することを選択した場合、第２放送波受信部２０８は、別の緊急警報放送番組をサーチ選局し、受信した場合は選局されたチャンネルの緊急警報放送番組がサブ画面に表示される。
【００９０】
ユーザがサブ画面領域に表示されている緊急警報放送番組を視聴することを選択した場合は、サブ画面領域の緊急警報放送番組がメイン画面領域に表示される。第２放送波受信部２０８は、別の緊急警報放送番組をサーチ選局し、受信した場合は選局されたチャンネルの緊急警報放送番組がサブ画面領域に表示される。上記の動作が全周波数に対してサーチが終了するまで、繰り返し行われる。
【００９１】
また、放送波受信部２０３が受信した放送番組をメイン画面領域に表示し、第２放送波受信部２０８は、全周波数から緊急警報放送番組を検索し確認後、検索された緊急警報放送番組の一覧をサブ画面領域に提示し、その一覧の中からユーザが操作部を介して緊急警報放送番組を選択できることとしてもよい。
【図面の簡単な説明】
【００９２】
【図１】放送波受信システムの構成の一例を示す概念図である。
【図２】気象庁から送信される緊急警報信号に含まれる情報の一例を示す図である。
【図３】放送局から放送される緊急警報放送の放送波の一例を示す図である。
【図４】放送波受信端末装置の構成の一例を示すブロック図である。
【図５】チャンネルリスト記憶部２０６に記憶される情報の一例を示す図である。
【図６】放送受信端末の動作のフローを示すフロー図である。
【図７】放送波受信システムの構成の一例を示す概念図である。
【図８】放送波受信端末装置の構成の一例を示すブロック図である。
【図９】放送受信端末の動作のフローを示すフロー図である。
【図１０】放送波受信端末装置の構成の一例を示すブロック図である。
【図１１】放送番組の表示部への提示方法の一例を示す概念図である。
【符号の説明】
【００９３】
１０１  気象庁
１０２  通信事業者
１０３  携帯通信網
１０４  放送波受信端末
１０５  放送基地局
１０６  放送局
２０１  無線部
２０２  緊急警報信号認識部
２０３  放送波受信部
２０４  制御部
２０５  表示部
２０６  チャンネルリスト記憶部
２０７  位置情報認識部
【図１】
0005398998.tif 000002
【図２】
0005398998.tif 000003
【図３】
0005398998.tif 000004
【図４】
0005398998.tif 000005
【図５】
0005398998.tif 000006
【図６】
0005398998.tif 000007
【図７】
0005398998.tif 000008
【図８】
0005398998.tif 000009
【図９】
0005398998.tif 000010
【図１０】
0005398998.tif 000011
【図１１】
0005398998.tif 000012